(57)【特許請求の範囲】
【請求項１】
矩形板状の台座部と、該台座部の一方の辺縁より下方に延びた脚部と、該脚部の下端より前記台座部の下方がわに延びた挟持片とを有した挟持部材を一対備え、前記台座部どうしを突き合わせて、折板屋根の頂部より突出した突出部を前記挟持片どうしで挟持する構成とした屋根上取付具であって、
前記台座部の突き合わせ端部には垂下片が形成されており、
前記挟持部材には、前記挟持部材間で相互に係合し得る係合片と係合孔が形成されており、
前記係合片は、前記垂下片の一方の側端がわの下端より折り返し状に上方に突出した係止部を有している一方、前記係合孔は前記台座部の他方の側端がわに開設されており、
前記係止部は、相手がわの前記台座部の下方より前記係合孔に挿通され、前記垂下片どうしが重合するまで挿通されたときに、前記係合孔に係止されるようになっており、
前記係止部が前記係合孔に係止されることで、前記挟持片どうしが前記突出部を挟持する構成となっている、屋根上取付具。
【請求項２】
請求項１において、
前記挟持部材の前記脚部にはボルト挿通孔が開設されており、
両挟持部材の前記ボルト挿通孔にボルトを挿通し、該ボルトにナットを螺合して、前記脚部を緊締する構成となっている、屋根上取付具。
【発明の詳細な説明】
【技術分野】
【０００１】
本発明は、折板屋根の頂部より突出した突出部を挟持片どうしで挟持して、その突出部に固定されるようになっている屋根上取付具に関する。
【背景技術】
【０００２】
この種の屋根上取付具として、たとえば特許文献１に示してあるように、一対の挟持部材を組み合わせてなるものがある。この文献のものは、台座部どうしを交差重合し、それらをボルト、ナットで固定することで、挟持片どうしが折板屋根の突出部を両側より挟持する構成となっている。
【０００３】
この文献のものは、台座部の中心を支点として挟持片が挟み動作をなすように挟持部材を合体し、重合状態にある台座部の支点を上下よりボルトで締め付けて挟持片を近づける構造となっている。つまり、台座部どうしの締め付けにより交差状態の台座部間の隙間をなくし固定することで、挟持片を相互に近づける構造となっている。
【先行技術文献】
【特許文献】
【０００４】
【特許文献１】特開２０１１−４７１４４号公報
【発明の概要】
【発明が解決しようとする課題】
【０００５】
しかしながら、このような構造であるため、挟持部材の形状が複雑となり、そのため製造誤差が生じやすい。製造誤差があれば、挟持片どうしで突出部を十分に挟持できないおそれがある。また、台座部どうしのボルト止めを必要とするため、屋根上への固定に時間を要する。
【０００６】
本発明は、このような事情を考慮して提案されたもので、その目的は、形状がシンプルで、部品点数が少なく、屋根上に簡易に取り付けることができる屋根上取付具を提供することにある。
【課題を解決するための手段】
【０００７】
上記目的を達成するために、請求項１に記載の屋根上取付具は、矩形板状の台座部と、該台座部の一方の辺縁より下方に延びた脚部と、脚部の下端より台座部の下方がわに延びた挟持片とを有した挟持部材を一対備え、台座部どうしを突き合わせて、折板屋根の頂部より突出した突出部を挟持片どうしで挟持する構成とした屋根上取付具であって、台座部の突き合わせ端部には垂下片が形成されており、挟持部材には、挟持部材間で相互に係合し得る係合片と係合孔が形成されており、係合片は、垂下片の一方の側端がわの下端より折り返し状に上方に突出した係止部を有している一方、係合孔は台座部の他方の側端がわに開設されており、係止部は、相手がわの台座部の下方より係合孔に挿通され、垂下片どうしが重合するまで挿通されたときに、係合孔に係止されるようになっており、係止部が係合孔に係止されることで、挟持片どうしが突出部を挟持する構成となっている。
【０００８】
請求項２に記載の屋根上取付具は、挟持部材の脚部にはボルト挿通孔が開設されており、両挟持部材のボルト挿通孔にボルトを挿通し、そのボルトにナットを螺合して、脚部を緊締する構成となっている。
【発明の効果】
【０００９】
請求項１に記載の屋根上取付具によれば、上述の構成となっているため、形状をシンプルにでき、部品点数を少なくでき、かつ屋根上取付具を屋根上に簡易に取り付けることができる。
【００１０】
請求項２に記載の屋根上取付具によれば、ボルト、ナットで脚部を緊締する構成であるため、屋根上取付具を屋根上にぐらつきなくしっかりと固定することができる。
【図面の簡単な説明】
【００１１】
【図１】本発明の一実施形態に係る屋根上取付具の説明図である。（ａ）は屋根上取付具を構成する挟持部材の斜視図（一方のみを図示）、（ｂ）は屋根上取付具の屋根上への取付状態を示す正面図および要部の拡大縦断面図である。
【図２】（ａ）（ｂ）は、挟持部材の取付手順を示す正面図である。
【図３】（ａ）は、挟持部材の取付手順を示す正面図である。（ｂ）は、（ａ）におけるＸ部の状態変化を表した縦断面図である。
【図４】（ａ）（ｂ）は、係止部の係合孔における係止構造の他例を示す部分縦断面図である。
【図５】本発明の他の実施形態に係る屋根上取付具の取付状態を示す正面図である。
【図６】（ａ）は本発明の他の実施形態に係る屋根上取付具の設置状態を示す正面図であり、（ｂ）は要部の拡大平面図である。
【発明を実施するための形態】
【００１２】
以下に、本発明の実施の形態について、添付図面をもとに説明する。まず、屋根上取付具の概略構成について説明する。
【００１３】
本屋根上取付具１は、矩形板状の台座部１１と、台座部１１の一方の辺縁より下方に延びた脚部１６と、脚部１６の下端より台座部１１の下方がわに延びた挟持片１７とを有した挟持部材１０を一対備え、台座部１１、１１どうしを突き合わせて、折板屋根３０の頂部３２より突出した突出部３３を挟持片１７、１７どうしで挟持する構成とした取付具である。
【００１４】
台座部１１の突き合わせ端部には、垂下片１２が形成されている。また、挟持部材１０には、挟持部材１０、１０間で相互に係合し得る係合片１３と係合孔１５が形成されている。係合片１３は、垂下片１２の一方の側端がわの下端より折り返し状に上方に突出した係止部１４を有している一方、係合孔１５は台座部１１の他方の側端がわに開設されている。
【００１５】
係止部１４は、相手がわの台座部１１の下方より係合孔１５に挿通され、垂下片１２、１２どうしが重合するまで挿通されたときに、係合孔１５に係止されるようになっており、係止部１４が係合孔１５に係止されることで、挟持片１７、１７どうしが突出部３５、３６ａを挟持するようになっている。
【００１６】
ついで、この屋根上取付具１の詳細について説明する。
この屋根上取付具１は、図３に示してあるように、折板屋根３０の上に取り付けられる。
【００１７】
この折板屋根３０は、山部３１と谷部３３とが交互に連続する屋根であって、複数の屋根材を山部３１の頂部３２においてハゼ連結してなる屋根である。なお、３９は折板屋根３０の形状を下方より保持する保持部材である。
【００１８】
屋根上取付具１は、折板屋根３０の頂部３２の上方に突出したハゼ部３５よりなる突出部に取り付け固定されるようになっている。
【００１９】
ついで、屋根上取付具１の各部について図１を参照しながら説明する。図１（ａ）は屋根上取付具１を構成する主部材である挟持部材１０の斜視図であり、一対の挟持部材１０、１０は同一形状であるため、図１（ａ）には一方のみを図示した。なお、この斜視図は挟持部材１０を概略的に示したものであり、部材の厚みの図示は省略した。
【００２０】
挟持部材１０は、上述したように、台座部１１と、脚部１６と、挟持片１７とを備えている。挟持部材１０、１０どうしは、図１（ｂ）に示すように、脚部１６、１６を外がわにして突き合わせて結合されるようになっている。
【００２１】
台座部１１は、脚部１６とは反対がわの辺縁に垂下片１２を備えている。この垂下片１２は、挟持部材１０、１０の突き合わせに際して、外がわ面が当接し合い、重合する部位である。図１（ａ）に示すように、垂下片１２の一方の側端がわの下端には、さらに下方に延びた延出部１３ａと、その下端より折曲して上方に延びた突出部１３ｂとを有した折り返し状の係合片１３が形成されている。
【００２２】
この係合片１３の突出部１３ｂは、上部にその先端が手前がわを向くぐらいに大きく湾曲した湾曲部１３ｃが形成され、湾曲部１３ｃの下端よりも下方部は湾曲部１３ｃよりも緩やかな湾曲形状となっている。この緩やかに湾曲した部位が係止部１４を構成する。また、係止部１４としては、図１（ｂ）の部分拡大縦断面図に示すように、係止を補完し逆戻りを防止する戻り防止突起１４ａを備えていることが望ましい。
【００２３】
また、台座部１１の、係合片１３を延出したほうの側端とは異なる側端がわに、相手の係合片１３の突出部１３ｂを挿入、係合させる係合孔１５が開設されている。
【００２４】
図１（ｂ）の部分拡大縦断面図に示すように、係止部１４は係合孔１５に圧接状態で係止され、戻り防止突起１４ａにより逆戻りが防止され、係止力が高められる。この係止構造については、図２（ａ）（ｂ）および図３（ａ）（ｂ）にてくわしく後述する。
【００２５】
脚部１６、１６は、やや外側に開くように下方に延びている（図１（ｂ）参照）。挟持片１７は、脚部１６の下端から台座部１１に平行に台座部１１の下方がわにおいて、垂下片１２のほぼ真下の位置まで延びており、その先端には上方に突出した挟持突片１７ａが形成されている（図１（ａ）（ｂ）参照）。
【００２６】
一対の挟持部材１０、１０は、図１（ｂ）に示すように、垂下片１２、１２どうしが当接し合った状態で結合しており、それぞれの係合片１３、１３の突出部１３ｂ、１３ｂが相手がわの係合孔１５、１５に下方より挿通した状態で連結されている。このとき係合片１３、１３の係止部１４、１４が係合孔１５、１５に係止され、両挟持部材１０、１０が固定する。屋根上取付具１は、このような挟持部材１０、１０の連結、固定により、挟持片１７、１７（の挟持突片１７ａ、１７ａ）どうしがハゼ部３５を挟持して屋根上に固定されるものである。
【００２７】
挟持部材１０、１０の連結、固定は、係止部１４、１４が係合孔１５、１５に係止されることでなされる。係止部１４の係止については、図２（ａ）（ｂ）および図３（ａ）（ｂ）に示した手順図を参照しながら、具体的に説明する。
【００２８】
まず、図２（ａ）に示すように、両挟持部材１０、１０を、脚部１６、１６の外面を上にした状態で台座部１１、１１どうしを突き合わせる。そして、図２（ｂ）に示すように、係合片１３、１３の突出部１３ｂ、１３ｂの湾曲部１３ｃ、１３ｃの先端を、相手の挟持部材１０、１０の垂下片１２、１２の下方をくぐらせるようにして、下方より台座部１１、１１の係合孔１５、１５に挿通させる。
【００２９】
この操作は、垂下片１２、１２の基部を図２（ｂ）のように近接させたＡ点を中心として、両挟持部材１０、１０を図２（ｂ）の白抜き矢印方向に回動させるようにすることが望ましい。湾曲部１３ｃは、Ａ点を中心とした回動の径とほぼ一致する円弧状となっており、そのため回動操作によりスムーズに係合孔１５、１５に挿通していく。
【００３０】
なお、図２（ｂ）および図３（ａ）に示した挟持部材１０、１０の合体操作は、その操作で折板屋根３０のハゼ部３５を両側より挟持片１７、１７で挟持できるように、ハゼ部３５の上で行うことが望ましい。
【００３１】
さらに、図３（ｂ）に示すように挟持部材１０、１０の回動を進めると、係合片１３、１３の係止部１４、１４は、湾曲部１３ｃと同径で描いた仮想円弧（図３（ｂ）の破線で描いた湾曲線）ほどには外方に膨らんでいないため、係合孔１５、１５に対して斜めに挿通された状態となり、係合孔１５、１５の縁部に引っ掛かり、係止される。このとき戻り防止突起１４ａは係合孔１５を挿通しており、その逆戻り防止機能によっても係止が確実になる。この戻り防止突起１４ａは湾曲部１３ｃの下端部に設けることが望ましい。
【００３２】
こうして係合片１３、１３の係止部１４、１４が係合孔１５、１５に係止されたときには、挟持片１７、１７の挟持突片１７ａ、１７ａがハゼ部３５を両がわより押圧した状態となって、屋根上取付具１は屋根上に固定される（図１（ｂ）参照）。
【００３３】
このように、挟持部材１０、１０の係合片１３、１３を相手がわの係合孔１５、１５に挿通させて両部材を合体することで、挟持片１７、１７がハゼ部３５を挟持する構成となっているため、屋根上取付具１の形状をシンプルにでき、部品点数を少なくでき、かつ屋根上に簡易に取り付けることができる。また、屋根上に固定するための操作もボルト、ナットを用いず簡単に行える。
【００３４】
また、係合片１３、１３の係止部１４、１４と係合孔１５、１５との係止構造については、上述したものに限らない。たとえば、図４（ａ）のように、係合片１３を一様な円弧状の湾曲形状とし、係合片１３の内外面に逆戻り不可な突起よりなる係止部１４を設けて、無理嵌めするようにしてもよいし、図４（ｂ）のように、係合片１３に肉厚部よりなる係止部１４を設けて、圧入するようにしてもよい。なお、図４（ａ）（ｂ）の挟持部材１０においては、係合孔１５、１５に挿通されるように係止部１４、１４を軟質樹脂で形成してもよい。
【００３５】
屋根上取付具１をさらに強固に屋根上に固定する場合には、図５に示すように、脚部１６、１６どうしをボルト１９ａ、ナット１９ｂで緊締するようにしてもよい。この屋根上取付具１の挟持部材１０、１０の脚部１６、１６にはボルト挿通孔１６ａ、１６ａが開設されている。挟持部材１０、１０どうしの合体は図１のものと同様であり、同様の操作で屋根上に固定したのち、ボルト１９ａ、ナット１９ｂで緊締して、さらに強固に固定することができる。
【００３６】
ついで、折板屋根３０の頂部３２より突出したボルト体３６に取り付ける屋根上取付具１について、図６をもとに説明する。
【００３７】
この折板屋根３０は、隣接する両屋根材を山部３１で重ね、ボルト体３６で連結固定した重ね式の連設構造となっている。山部３１の頂部３２にはボルト体３６の軸部３６ａが突出し、そのボルト体３６が座金付きナット３７で固定してある。
【００３８】
屋根上取付具１は、このようなボルト体３６の軸部３６ａで構成された突出部に対応した構造となっている。具体的には、挟持部材１０の挟持片１７の形状が図１のものとは異なる形状となっている。なお、挟持部材１０の挟持片１７以外の部位については図１のものと同形状、同構造であるため、それらの形状、構造については説明を割愛する。また、この屋根上取付具１の取り付け手順についても図１のものと概ね同様であるため、折板屋根３０に取り付けられた状態のみを図示し、取り付け手順の図示および説明は割愛する。
【００３９】
挟持部材１０の挟持片１７は、先端に向けてやや上方に傾斜している。これは、挟持片１７、１７が座金付きナット３７との接触を回避し、確実にボルト体３６の軸部３６ａを挟持できるようにするためである。
【００４０】
挟持片１７、１７の先端の中央には、ボルト体３６の軸部３６ａを係止するための係止凹部１７ｂ、１７ｂが形成されている。係止凹部１７ｂ、１７ｂの底部には、やや上方に切り起こされた係止爪１７ｃ、１７ｃが形成されている。屋根上取付具１は、係止部１４、１４の係合孔１５、１５への係止により、両挟持片１７、１７の両係止凹部１７ｂ、１７ｂがボルト体３６の軸部３６ａを挟持するとともに、係止爪１７ｃ、１７ｃが軸部３６ａのねじ溝に係止することで、ボルト体３６に固定されるようになっている。なお、ボルト体３６の軸部３６ａに対する固定構造は、係止凹部１７ｂによるものには限られず、種々の構造を採用することができる。
【符号の説明】
【００４１】
１          屋根上取付具
１０        挟持部材
１１        台座部
１２        垂下片
１３        係合片
１３ａ      延出部
１３ｂ      突出部
１３ｃ      湾曲部
１４        係止部
１４ａ      戻り防止突起
１５        係合孔
１６        脚部
１６ａ      ボルト挿通孔
１７        挟持片
１７ａ      挟持突片
１７ｂ      係止凹部
１７ｃ      係止爪
１９ａ      ボルト
１９ｂ      ナット
３０        折板屋根
３１        山部
３２        頂部
３３        谷部
３５        ハゼ部（突出部）
３６        ボルト体
３６ａ      軸部（突出部）
３７        座金付きナット
３９        保持部材
【要約】
【課題】形状がシンプルで、部品点数が少なく、屋根上に簡易に取り付けることができる屋根上取付具を提供する。
【解決手段】台座部１１の突き合わせ端部には垂下片１２が形成されている。挟持部材１０には、挟持部材１０、１０間で相互に係合し得る係合片１３と係合孔１５が形成されており、係合片１３は、垂下片１２の一方の側端がわの下端より折り返し状に上方に突出した係止部１４を有している一方、係合孔１５は台座部１１の他方の側端がわに開設されており、係止部１４は、相手がわの台座部１１の下方より係合孔１５に挿通され、垂下片１２、１２どうしが重合するまで挿通されたときに、係合孔１５に係止されるようになっており、係止部１４が係合孔１５に係止されることで、挟持片１７、１７どうしが突出部３５を挟持する。
【選択図】図１【図１】
0005901090.tif 000002
【図２】
0005901090.tif 000003
【図３】
0005901090.tif 000004
【図４】
0005901090.tif 000005
【図５】
0005901090.tif 000006
【図６】
0005901090.tif 000007